(57)【要約】【課題】狭い場所でも水道のメートル器の交換を容易かつ迅速に行なうことのできる、耐蝕性で耐久性に優れた水道メートル器の連結部を提供する。【解決手段】水道配管１３に接続した継手本体１２と、両端外周部に連結螺子部を有する水道メートル器１１とを、パッキンを介して六角ナット１００により連結してなる水道メートル器連結部である。この六角ナット１００は、一方の開口縁内周部に鍔部１とその他の内周部に螺子部２とを設け、外周部に多数（好ましくは１２個以上）の突起３を設け、かつ、少なくとも前記突起３の全ての表面に電気絶縁性樹脂被膜４を設けてなる。【選択図】図１
0003133217.tif 000002
【実用新案登録請求の範囲】
【請求項１】
水道配管に接続した継手本体と、両端に連結螺子部を有する水道メートル器とを、パッキンを介して六角ナットにより連結してなる水道メートル器連結部において、
前記六角ナットが、その一方の開口縁内周部に鍔部とその内周部に螺子部とを設け、その六角外周部に多数の突起を設け、かつ、少なくとも前記突起の全ての表面に電気絶縁性樹脂被膜を設けた六角ナットであること、を特徴とする前記水道メートル器連結部。
【請求項２】
水道配管に接続した継手本体と、両端に連結螺子部を有する水道メートル器とを、パッキンを介して六角ナットにより連結してなる水道メートル器連結部において、
前記六角ナットが、その一方の開口縁内周部に鍔部とその内周部に螺子部とを設け、その六角外周部に１２以上の突起を設け、かつ、少なくとも前記突起の全ての表面に電気絶縁性樹脂被膜を設けた六角ナットであること、を特徴とする前記水道メートル器連結部。
【請求項３】
前記電気絶縁性樹脂被膜がアミノアルキッド樹脂被膜である、請求項１又は２に記載の水道メートル器連結部。
【考案の詳細な説明】
【技術分野】
【０００１】
本考案は、水道のメートル器の交換作業が容易で耐蝕性に優れた水道メートル器連結部に関する。
【背景技術】
【０００２】
例えば、各家庭等において、水道のメートル器は、地中に埋設された狭いボックスの中で、配管と連結され収納されている。ところで、水道のメートル器は、計量法により８年に１度交換しなければならない。
従来、水道のメートル器の交換は、狭いボックス内での作業であるので、水道配管とメートル器とを接続している継手の六角ナットを、例えばペンチやポンププライヤーを用いて少しずつ回転させて行っていた。
しかし、狭いボックス内での水道のメートル器の交換作業は、ペンチ等を回転させる十分なスペースがないため、困難でありしかも時間がかかる。
そこで、補助柄を用いて六角ナットを回転させて水道のメートル器の着脱を容易化するため、水道配管に接続した継手本体と両端外周部に連結螺子部を有する水道メートル器とをパッキンを介して、外周部に多数の突起を設けた六角ナットにより連結した水道メートル器連結部が提案されている（特許文献１参照。）。
【特許文献１】実開平０６−４４１５号公報
【考案の開示】
【考案が解決しようとする課題】
【０００３】
しかしながら、特許文献１に開示された水道メートル器連結部に使用されている六角ナットは金属製であるため、金属製の補助柄を六角ナットの突起に着脱させると、そのたびにこれらの間に電気が流れて六角ナット突起が腐食し、その耐久性が問題となっている。
本考案は、狭い場所でも水道のメートル器の交換を容易かつ迅速に行なうことのできる、耐蝕性で耐久性に優れた水道メートル器の連結部を提供することを目的とする。
【課題を解決するための手段】
【０００４】
本考案の水道メートル器連結部は、水道配管１３に接続した継手本体１２と、両端外周部に連結螺子部を有する水道メートル器１１とを、パッキンを介して六角ナット１００により連結してなる。
この六角ナット１００は、一方の開口縁内周部に鍔部１とその他の内周部に螺子部２とを設け、外周部に多数（好ましくは１２個以上）の突起３を設け、かつ、少なくとも前記突起３の全ての表面に電気絶縁性樹脂被膜４を設けてなる。
【考案の効果】
【０００５】
本考案の水道メートル器連結部により、耐蝕性で耐久性に優れた水道メートル器の連結部を提供することができ、狭いボックス内での水道メートル器の交換作業を、迅速かつ簡単に行なうことが可能となった。本考案における六角ナットを水道メートル器と継手の連結に適用することにより、補助的手段として六角ナットに適応しうるペンチ、ポンププライヤー、締着あるいは弛めるためのアダプターを併用することができ、どのような場合でも水道メートル器の交換作業を迅速かつ容易に行なうことができる。
【考案を実施するための最良の形態】
【０００６】
以下に本考案の一実施例を図面に基づいて説明する。
図１は、本考案の一実施例の水道メートル器連結部における六角ナットの斜視図である。図２は、本考案の一実施例の水道メートル器連結部における六角ナットの平面図である。図３は、図２の水道メートル器連結部における六角ナットのＡ−Ａ線断面図である。図４は、水道ボックス内の本考案の一実施例の水道メートル器連結部の平面図である。図５は、補助柄の断面図である。
【０００７】
図４に示すとおり、本考案の水道メートル器連結部は、水道メートル器ボックス１４内では、継手の一端がパッキンを介して水道配管１３と継手本体１２とがナットにより連結され、他端がパッキンを介して水道メートル器１１と継手本体１２とが六角ナット１００により連結されている。
【０００８】
本考案における六角ナット１００には、その一方の開口縁内周部に鍔部１を設け、その他の内周部に螺子部２を設ける。そして、この六角ナット１００の外周部には、ナット１００が効率よくスムーズに回転するよう多数の突起３を設ける。前記突起３の設置数は、突起３及びそれにさし継ぐ補助柄の径の大きさに主に依存するが、例えば１２個以上が好ましい。
【０００９】
前記外周部の突起３を除いた形状は六角である。さらに、突起３はいずれも、六角外周部の一方の開口縁側に、片寄って設けることが好ましい。突起３の設けられていない六角外周部（他方の開口縁側）には、必要な場合には、例えばペンチやポンププライヤーを適用して六角ナット１００を回転させることもできる。
【００１０】
前記突起３にはパイプ等の補助柄例えば図５に示す補助柄をさし継いで、六角ナット１００を締着したり弛める操作をくり返し行ない、水道メートル器を脱着させる。そのため前記突起３は、補助柄をさし継いで作動させた際、作動中に補助柄が離脱することなく、かつ補助柄を別の突起３にさし継ぐ際、補助柄の突起３からの離脱と他の突起３へのさし継ぎをスムーズに行なえるものであればよく、その形状に特段の制限はない。
【００１１】
六角ナット１００の外周部の少なくとも全ての突起３の表面には、電気絶縁性樹脂被膜４を設ける。電気絶縁性樹脂被膜４は、突起３の金属部分と補助柄（金属）とが接触し電気が流れて六角ナット突起３の金属部分が腐食するのを防止するため、電気絶縁性の樹脂被膜であり、具体的には、アミノアルキッド樹脂（メラミン樹脂）、エポキシ樹脂、ビニル樹脂などの被膜を挙げることができる。これらのうち、焼付け塗装などにより被覆作業が容易に行うことができ、強靭で電気絶縁性の高い、アミノアルキッド樹脂の被膜が好ましい。
【００１２】
本考案における突起３付き六角ナット１００は、例えば次のようにして製造したものが好ましい（図３参照）。すなわち、まず、六角ナット外表面の一面おきに、溝状の固定凹部６を３つ設ける。次いで、外周に多数の突起３と内周に前記固定凹部６に嵌合する３つの固定凸部５を有する環状板を製造する（つまり、環状板の内周は六角ナット外表面にほぼぴったり嵌合させることのできる大きさである。）。そして、この突起３と固定凸部５を有する環状板の全表面にアミノアルキッド樹脂を焼付け塗装して、アミノアルキッド樹脂被膜を形成する。更に、この焼付け塗装した環状板の内周を六角ナット１００の外周に嵌め合わせて、前記固定凸部５を前記固定凹部６に嵌入させ、固定する。
【００１３】
次に、本考案の水道メートル器連結部における水道のメートル器の脱着操作について説明する。
例えばまず、本考案における六角ナット１００の突起３に補助柄をさし継ぐ。補助柄を水道メートル器ボックス１４内で可能な角度範囲だけ廻動させる。補助柄を突起３から離脱させ、他の突起３に再度さし継ぎ、さらに可能な角度範囲だけ補助柄を廻動させる。この操作をくり返して六角ナット１００を弛め、水道メートル器１１の一端をとりはずす。
前記操作を水道メートル器１１の他の一方の端についても行なって、水道メートル器１１をとりはずし、新しい水道メートル器１１と交換する。
前記操作を六角ナット１００を締着する方向についてくり返して、新しい水道メートル器１１を水道配管１３と連結する。
【図面の簡単な説明】
【００１４】
【図１】本考案の一実施例の水道メートル器連結部における六角ナットの斜視図である。
【図２】本考案の一実施例の水道メートル器連結部における六角ナットの平面図である。
【図３】図２の水道メートル器連結部における六角ナットのＡ−Ａ線断面図である。
【図４】水道ボックス内の本考案の一実施例の水道メートル器連結部の平面図である。
【図５】補助柄の断面図である。
【符号の説明】
【００１５】
１  鍔部
２  螺子部
３  突起
４  電気絶縁性樹脂被膜
【図１】
0003133217.tif 000003
【図２】
0003133217.tif 000004
【図３】
0003133217.tif 000005
【図４】
0003133217.tif 000006
【図５】
0003133217.tif 000007